(57)【要約】【課題】簡易な構造でも断熱性に優れる開口部装置を提供する。【解決手段】建物開口部の４辺に沿って具備された枠体１２と、該枠体の内側に配置される障子５０とを備える開口部装置１０であって、障子の閉鎖の姿勢で、障子の框５２、５３、５４、５５の全部が、枠体により室内側正面視から隠蔽されることを特徴とする。【選択図】図２
2009280999.tif 000002
【特許請求の範囲】
【請求項１】
建物開口部の４辺に沿って具備された枠体と、該枠体の内側に配置される障子とを備える開口部装置であって、
前記障子の閉鎖の姿勢で、前記障子の框の全部が、前記枠体により室内側正面視から隠蔽されることを特徴とする開口部装置。
【請求項２】
前記枠体は、
見込み方向室外側に配置される室外側部材と、
見込み方向室内側に配置される室内側部材と、
前記室外側部材と前記室内側部材とを連結する断熱性を有するブリッジ材と、
前記ブリッジ材より見付方向内側で、見込み方向に略同一位置に配置され、前記障子の閉鎖の姿勢で該障子の框に接触するとともに断熱性を有するパッキンと、
を備える請求項１に記載の開口部装置。
【請求項３】
前記パッキンが前記見付方向に所定の間隔を有して２つ並列して具備されることを特徴とする請求項２に記載の開口部装置。
【発明の詳細な説明】
【技術分野】
【０００１】
本発明は住宅や公共施設等の建物開口部に好適に用いられる開口部装置に関し、特に断熱性に優れる開口部装置に関する。
【背景技術】
【０００２】
建物開口部に備えられるスイング式、引戸式、及び嵌殺し式の窓等のような開口部装置のうち、寒冷地等で好ましく適用される断熱性に優れる種々の開口部装置（以下、「断熱サッシ」と記載することがある。）が提案されている。これら断熱サッシの断熱手段としては例えば、開口部の縁に沿って配置されるサッシ枠、及びその枠の内側に具備される障子の框を見込み方向（室内外方向）に分割し、これを断熱材（ブリッジ材）を介して連結することにより、見込み方向に熱が伝わり難いものが知られている。
【０００３】
例えば特許文献１に記載の断熱サッシも、サッシ枠及び障子の框において断熱材を介して室内側部材と室外側部材とが連結されている。当該特許文献１ではさらにアタッチメントについても断熱材を介して室内側部材と室外側部材とが連結されている。
【０００４】
その他の手段として断熱サッシの枠体、及び障子の框の両方を樹脂により形成する手段も知られている。
【特許文献１】特許第３２４８０５３号公報
【発明の開示】
【発明が解決しようとする課題】
【０００５】
しかしながら、上記のように断熱性を向上させるためにブリッジ材を用いたり、枠体、及び障子の框を樹脂により構成したりすると、特に通常開閉動作をさせる障子の框が強度不足となる虞があった。また、枠体及び障子の構造が複雑になり、製造コストの増大を招くこともあり改善が望まれていた。
【０００６】
そこで、本発明は上記問題点に鑑み、簡易な構造でも断熱性に優れる開口部装置を提供することを課題とする。
【課題を解決するための手段】
【０００７】
以下、本発明について説明する。なお、本発明の理解を容易にするために添付図面の参照符号を括弧書きにて付記するが、それにより本発明が図示の形態に限定されるものではない。
【０００８】
請求項１に記載の発明は、建物開口部の４辺に沿って具備された枠体（１２）と、該枠体の内側に配置される障子（５０）とを備える開口部装置（１０）であって、障子の閉鎖の姿勢で、障子の框（５２、５３、５４、５５）の全部が、枠体により室内側正面視から隠蔽されることを特徴とする開口部装置を提供することにより前記課題を解決する。
【０００９】
請求項２に記載の発明は、請求項１に記載の開口部装置（１０）において、枠体（１２）は、見込み方向室外側に配置される室外側部材（１５、２２、３２、４２）と、見込み方向室内側に配置される室内側部材（１４、２１、３１、４１）と、室外側部材と室内側部材とを連結する断熱性を有するブリッジ材（１６、２３、２４、３３、４３）と、ブリッジ材より見付方向内側で、見込み方向に略同一位置に配置され、障子の閉鎖の姿勢で該障子の框に接触するとともに断熱性を有するパッキン（１７、１８、２５、２６、３４、３５、４４、４５）とを備えること特徴とする。
【００１０】
ここで「見付方向」とは全体として平板状である開口部装置の該平板状の平面に沿った方向を意味し、開口部装置が建物に取り付けられた姿勢では、建物開口部の開口面に沿った方向を意味する。また、「見付方向内側」とは、見付方向のうち開口部装置の中央方向を意味する。従って「見付方向外側」とは見付方向のうち開口部装置から離れる方向を意味する。さらに、「見込み方向」とは全体として平板状である開口部装置の該平板状の厚さの方向を意味し、開口部装置が建物に取り付けられた姿勢では、建物の室内外方向を示す。
また、「見込み方向に略同一位置」とは、ブリッジ材の見込み方向中心と、パッキンの見込み方向中心との位置が、見込み方向の位置において完全に同一であることの他、ブリッジ材の見込み方向幅、及びパッキンの見込み方向幅の範囲でそのいずれかの部分において見込み方向の位置が同じであればよいことを含むことを意味する。
【００１１】
請求項３に記載の発明は、請求項２に記載の開口部装置（１０）において、パッキン（１７、１８、２５、２６、３４、３５、４４、４５）が見付方向に所定の間隔を有して２つ並列して具備されることを特徴とする。
【発明の効果】
【００１２】
本発明によれば、簡易な構造でも断熱性に優れる開口部装置を提供することができる。
【００１３】
本発明のこのような作用及び利得は、次に説明する発明を実施するための最良の形態から明らかにされる。
【発明を実施するための最良の形態】
【００１４】
以下本発明を図面に示す実施形態に基づき説明する。ただし、本発明はこれら実施形態に限定されるものではない。
【００１５】
図１は開口部装置１０が建物の開口部に取り付けられた姿勢における該開口部装置１０の室内視正面図である。図２は、図１にＡ−Ａ線（垂直方向）に沿った断面図、図３は、図１にＢ−Ｂ線（水平方向）に沿った断面図である。図２では紙面左が室外側、紙面右が室内側をそれぞれ示している。また、図３では紙面上が室外側、紙面下が室内側を表している。本実施形態において開口部装置１０は、縦すべり形式の断熱サッシであり、図２、図３に示した開閉装置１１を操作することにより障子５０を縦すべり式に開閉させることができる。
【００１６】
開口部装置１０は、建物開口部の４辺の縁に沿って配置される枠体１２、及び該枠体１２の内側に具備されて縦すべり式に開閉する障子５０を備えている。図１〜図３及び適宜示す図により開口部装置１０について説明する。
【００１７】
枠体１２は、上下のそれぞれに水平に配置される長尺部材である横枠１３、２０、及び該横枠１３、２０の端部を渡して設けられる長尺部材である縦枠３０、４０が枠状に形成されて構成されている。
【００１８】
横枠１３は、枠体１２のうち上枠に相当する枠材であり、室内側に配置される室内側部材１４と、室外側に配置される室外側部材１５と、室内側部材１４と室外側部材１５とを連結するブリッジ材１６と、パッキン１７、１８とを備えている。図４は、図２にＣで示した部分を拡大した図である。
【００１９】
図２、図４からわかるように室内側部材１４は、図２、図４に表される断面において、見付方向上下（紙面上下方向）に配置される片１４ａを備えている。片１４ａの室外側面からは、その見込み方向室外側（紙面左方向）に延在する片１４ｂが設けられ、片１４ｂの室外側端部には矩形部１４ｃが形成されている。該矩形部１４ｃの室外側面には係合突起１４ｄが具備されている。
【００２０】
さらに、片１４ａの室外側面のうち片１４ｂよりも見付方向内側には、片１４ｂと略平行に延在する片１４ｅが設けられて、該片１４ｅの室外側端部からは見付方向内側に向けて片１４ｆが形成されている。片１４ｆは、図２、図４からわかるように、後述する障子５０の横框５２の見付方向内側端部より内側まで延在している。また、片１４ｆの室外側面には、２つの係合突起１４ｇ、１４ｈが所定の間隔を有して見付方向上下に並列されている。２つの係合突起１４ｇ、１４ｈのうち、見付方向内側に設けられる係合突起１４ｈは、片１４ｆの端部に設けられている。
【００２１】
室外側部材１５は、図２、図４に表される断面において、全体として概ね矩形状である矩形部１５ａにより形成されている。該矩形部１５ａの室内側面には係合突起１５ｂが形成されるとともに、矩形部１５ａの見付方向内側には係合部１５ｃが設けられている。係合部１５ｃには緩衝部材が挿入されている。
【００２２】
ブリッジ材１６は、断熱材等の熱伝導率の小さい材料で形成されており、その室内側端部が室内側部材１４の係合突起１４ｄに係合され、室外側端部が室外側部材１５の係合突起１５ｂに係合されている。これにより室内側部材１４と室外側部材１５とはブリッジ材１６を介して連結されているので、室内外方向の断熱がされている。
【００２３】
パッキン１７は、熱伝導率が小さいとともに気密性の高い材料で形成されており、その室内側端部が室内側部材１４の片１４ｆの係合突起１４ｇに係合されている。パッキン１７の室外側端部は開放されているが、図２、図４からわかるように、障子５０の閉鎖時に横框５２に密着して気密を得ることができるように構成されている。
【００２４】
パッキン１８は、熱伝導率が小さいとともに気密性の高い材料で形成されており、その室内側端部が室内側部材１４の片１４ｆの係合突起１４ｈに係合されている。パッキン１８の室外側端部は開放されているが、図２、図４からわかるように、障子５０の閉鎖時に横框５２に密着して気密を得ることができるように構成されている。
【００２５】
ここで、ブリッジ材１６、パッキン１７、及びパッキン１８は見付方向上下に一直線上、すなわち見込み方向に略同じ位置に並列されるように配置されることが好ましい。ここで、ブリッジ材１６の見込み方向中心と、パッキン１７、１８の見込み方向中心との位置が、見込み方向の位置において同一であることがさらに好ましいが、必ずしもこれに限定されることはなく、ブリッジ材１６の見込み方向幅、及びパッキン１７、１８の見込み方向幅の範囲でそのいずれかの部分において見込み方向の位置が同じであればよい。さらには、ブリッジ材１６、パッキン１７、及びパッキン１８の見込み方向幅が同じであることがさらに好ましい。
【００２６】
また、ブリッジ材、及びパッキンの形状は特に限定されるものではなく、上記した目的を達するものであればどのような形状のブリッジ材、及びパッキンを適用してもよい。ここで、ブリッジ材及びパッキンの断熱性能は、断熱材としての効果を奏するものであれば特に限定されるものではないが、通常は、熱伝導率が０．２Ｗ／ｍＫ以下のものを用いることが多い。
【００２７】
横枠２０は、枠体１２のうち下枠に相当する枠材であり、室内側に配置される室内側部材２１と、室外側に配置される室外側部材２２と、室内側部材２１と室外側部材２２とを連結するブリッジ材２３、２４と、パッキン２５、２６とを備えている。図５は、図２にＤで示した部分を拡大した図である。図５では分かり易さのため開閉装置１１を省略している。
【００２８】
図２、図５からわかるように室内側部材２１は、図２、図５に表される断面において、見付方向上下（紙面上下方向）に配置される片２１ａを備えている。ここで、片２１ａの見付方向内側端部は、図２、図５からわかるように、後述する障子５０の横框５３の見付方向内側端部より内側まで延在している。
片２１ａの室外側面には、その見込み方向室外側（紙面左方向）に矩形部２１ｂが設けられ、該矩形部２１ｂの室外側面には係合突起２１ｄが具備されている。
【００２９】
さらに、片２１ａの室外側面のうち矩形部２１ｂよりも見付方向内側には、見込み方向室外側に延在する片２１ｅが設けられその室外側端部には係合部２１ｆが形成されている。また、片２１ａの室外側面のうち片２１ｅより見付方向内側には、片２１ｅと略平行に延在する片２１ｇが設けられ、その室外側端部には係合部２１ｈが形成されている。従って、２つの係合突起２１ｆ、２１ｈが所定の間隔を有して見付方向上下に並列されている。２つの係合突起のうち、見付方向内側に設けられる係合突起２１ｈは、片２１ａの見付方向内側端部に設けられている。
【００３０】
室外側部材２２は、図２、図５に表される断面において、矩形状である矩形部２２ａを有し、矩形部２２ａの室外側下端からは室外側に向けて水切り２２ｂが設けられている。また、矩形部２２ａの室内側面には係合突起２２ｃが具備されている。
【００３１】
ブリッジ材２３、２４は、断熱材等の熱伝導率の小さい材料で形成されており、その室内側端部が室内側部材２１の係合突起２１ｄに係合され、室外側端部が室外側部材２２の係合突起２２ｃに係合されている。これにより室内側部材２１と室外側部材２２とはブリッジ材２３、２４を介して連結されているので、室内外方向の断熱がされている。
【００３２】
パッキン２５は、熱伝導率が小さいとともに気密性の高い材料で形成されており、その室内側端部が室内側部材２１の片２１ｅの係合部２１ｆに係合されている。パッキン２５の室外側端部は開放されているが、図２、図５からわかるように、障子５０の閉鎖時に横框５３に密着して気密を得ることができるように構成されている。
【００３３】
パッキン２６は、熱伝導率が小さいとともに気密性の高い材料で形成されており、その室内側端部が室内側部材２１の片２１ｇの係合部２１ｈに係合されている。パッキン２６の室外側端部は開放されているが、図２、図５からわかるように、障子５０の閉鎖時に横框５３に密着して気密を得ることができるように構成されている。
【００３４】
ここで、ブリッジ材２３、２４、パッキン２５、及びパッキン２６は見付方向上下に一直線上、すなわち見込み方向に略同じ位置に並列されるように配置されることが好ましい。ここで、ブリッジ材２３、２４の見込み方向中心と、パッキン２５、２６の見込み方向中心との位置が、見込み方向の位置において同一であることがさらに好ましいが、必ずしもこれに限定されることはなく、ブリッジ材２３、２４の見込み方向幅、及びパッキン２５、２６の見込み方向幅の範囲でそのいずれかの部分において見込み方向の位置が同じであればよい。さらには、ブリッジ材２３、２４、パッキン２５、及びパッキン２６の見込み方向幅が同じであることがさらに好ましい。
【００３５】
また、ブリッジ材、及びパッキンの形状は特に限定されるものではなく、上記した目的を達するものであればどのような形状のブリッジ材、及びパッキンを適用してもよい。ここで、ブリッジ材及びパッキンの断熱性能は、断熱材としての効果を奏するものであれば特に限定されるものではないが、通常は、熱伝導率が０．２Ｗ／ｍＫ以下のものを用いることが多い。
【００３６】
次に縦枠３０について説明する。縦枠３０は、枠体１２の２つの縦枠のうち一方を形成する枠材であり、室内側に配置される室内側部材３１と、室外側に配置される室外側部材３２と、室内側部材３１と室外側部材３２とを連結するブリッジ材３３と、パッキン３４、３５とを備えている。図６は、図３にＥで示した部分を拡大した図である。
【００３７】
図３、図６からわかるように室内側部材３１は、図３、図６に表される断面において、見込み方向（紙面上下方向）に配置される片３１ａを備えている。片３１ａの室外側端部からは見付方向外側に向けて延在する片３１ｂが設けられ、片３１ｂの室外側面には係合突起３１ｃが具備されている。
【００３８】
さらに、片３１ａの見付方向内側面からは見付方向内側に向けて延在する片３１ｄが設けられている。片３１ｄは、図３、図６からわかるように、後述する障子５０の縦框５４の見付方向内側端部よりさらに内側にまで延在している。また、片３１ｄの室外側面には、２つの係合突起３１ｅ、３１ｆが所定の間隔を有して左右に並列されている。２つの係合突起のうち、見付方向内側に設けられる係合突起３１ｆは、片３１ｄの端部に設けられている。
【００３９】
室外側部材３２は、図３、図６に表される断面において、見込み方向に延在する片３２ａを有している。片３２ａの室内側端部からは、見付方向外側に向けて片３２ｂが設けられ、該片３２ｂの室内側面に係合突起３２ｃが具備されている。また、片３２ａの見付方向内側面には緩衝部材係合部３２ｄが設けられ、ここには緩衝部材３２ｅが係合されている。
【００４０】
ブリッジ材３３は、断熱材等の熱伝導率の小さい材料で形成されており、その室内側端部が室内側部材３１の係合突起３１ｃに係合され、室外側端部が室外側部材３２の係合突起３２ｃに係合されている。これにより室内側部材３１と室外側部材３２とはブリッジ材３３を介して連結されているので、室内外方向の断熱がされている。
【００４１】
パッキン３４は、熱伝導率が小さいとともに気密性の高い材料で形成されており、その室内側端部が室内側部材３１の片３１ｄの係合突起３１ｅに係合されている。パッキン３４の室外側端部は開放されているが、図３、図６からわかるように、障子５０の閉鎖時に縦框５４に密着して気密を得ることができるように構成されている。
【００４２】
パッキン３５は、熱伝導率が小さいとともに気密性の高い材料で形成されており、その室内側端部が室内側部材３１の片３１ｄの係合突起３１ｆに係合されている。パッキン３５の室外側端部は開放されているが、図３、図６からわかるように、障子５０の閉鎖時に縦框５４に密着して気密を得ることができるように構成されている。
【００４３】
ここで、ブリッジ材３３、パッキン３４、及びパッキン３５は見付方向上下に一直線上、すなわち見込み方向に略同じ位置に並列されるように配置されることが好ましい。ここで、ブリッジ材３３の見込み方向中心と、パッキン３４、３５の見込み方向中心との位置が、見込み方向の位置において同一であることがさらに好ましいが、必ずしもこれに限定されることはなく、ブリッジ材３３の見込み方向幅、及びパッキン３４、３５の見込み方向幅の範囲でそのいずれかの部分において見込み方向の位置が同じであればよい。さらには、ブリッジ材３３、パッキン３４、及びパッキン３５の見込み方向幅が同じであることがさらに好ましい。
【００４４】
また、ブリッジ材、及びパッキンの形状は特に限定されるものではなく、上記した目的を達するものであればどのような形状のブリッジ材、及びパッキンを適用してもよい。ここで、ブリッジ材及びパッキンの断熱性能は、断熱材としての効果を奏するものであれば特に限定されるものではないが、通常は、熱伝導率が０．２Ｗ／ｍＫ以下のものを用いることが多い。
【００４５】
次に縦枠４０について説明する。縦枠４０は、枠体１２の２つの縦枠のうち他方を形成する枠材であり、室内側に配置される室内側部材４１と、室外側に配置される室外側部材４２と、室内側部材４１と室外側部材４２とを連結するブリッジ材４３と、パッキン４４、４５とを備えている。図７は、図３にＦで示した部分を拡大した図である。
【００４６】
図３、図７からわかるように室内側部材４１は、図３、図７に表される断面において、見込方向（紙面上下方向）に配置される片４１ａを備えている。片４１ａの室外側端部からは見付方向外側に向けて延在する片４１ｂが設けられ、片４１ｂの室外側面には係合突起４１ｃが具備されている。
【００４７】
さらに、片４１ａの見付方向内側面からは見付方向内側に向けて延在する片４１ｄが設けられている。片４１ｄは、図３、図７からわかるように、後述する障子５０の縦框５５の見付方向内側端部よりさらに内側にまで延在している。また、片４１ｄの室外側面には、２つの係合突起４１ｅ、４１ｆが所定の間隔を有して左右に並列されている。２つの係合突起４１ｅ、４１ｆのうち、見付方向内側に設けられる係合突起４１ｆは、片４１ｄの端部に設けられている。
【００４８】
室外側部材４２は、図３、図７に表される断面において、見込方向に延在する片４２ａを有している。片４２ａの室内側端部からは、見付方向外側に向けて片４２ｂが設けられ、該片４２ｂの室内側面に係合突起４２ｃが具備されている。また、片４２ａの見付方向内側面には緩衝部材係合部４２ｄが設けられ、ここには緩衝部材４２ｅが係合されている。
【００４９】
ブリッジ材４３は、断熱材等の熱伝導率の小さい材料で形成されており、その室内側端部が室内側部材４１の係合突起４１ｃに係合され、室外側端部が室外側部材４２の係合突起４２ｃに係合されている。これにより室内側部材４１と室外側部材４２とはブリッジ材４３を介して連結されているので、室内外方向の断熱がされている。
【００５０】
パッキン４４は、熱伝導率が小さいとともに気密性の高い材料で形成されており、その室内側端部が室内側部材４１の片４１ｄの係合突起４１ｅに係合されている。パッキン４４の室外側端部は開放されているが、図３、図７からわかるように、障子５０の閉鎖時に縦框５５に密着して気密を得ることができるように構成されている。
【００５１】
パッキン４５は、熱伝導率が小さいとともに気密性の高い材料で形成されており、その室内側端部が室内側部材４１の片４１ｄの係合突起４１ｆに係合されている。パッキン４５の室外側端部は開放されているが、図３、図７からわかるように、障子５０の閉鎖時に縦框５５に密着して気密を得ることができるように構成されている。
【００５２】
ここで、ブリッジ材４３、パッキン４４、及びパッキン４５は見付方向上下に一直線上、すなわち見込み方向に略同じ位置に並列されるように配置されることが好ましい。ここで、ブリッジ材４３の見込み方向中心と、パッキン４４、４５の見込み方向中心との位置が、見込み方向の位置において同一であることがさらに好ましいが、必ずしもこれに限定されることはなく、ブリッジ材４３の見込み方向幅、及びパッキン４４、４５の見込み方向幅の範囲でそのいずれかの部分において見込み方向の位置が同じであればよい。さらには、ブリッジ材４３、パッキン４４、及びパッキン４５の見込み方向幅が同じであることがさらに好ましい。
【００５３】
また、ブリッジ材、及びパッキンの形状は特に限定されるものではなく、上記した目的を達するものであればどのような形状のブリッジ材、及びパッキンを適用してもよい。ここで、ブリッジ材及びパッキンの断熱性能は、断熱材としての効果を奏するものであれば特に限定されるものではないが、通常は、熱伝導率が０．２Ｗ／ｍＫ以下のものを用いることが多い。
【００５４】
以上示した枠体１２の室内側部材１４、２１、３１、４１及び室外側部材１５、２２、３２、４２の材質は特に限定されるものではないが、サッシを構成する部材として最も良く用いられるアルミニウムを用いることができる。また、ブリッジ材１６、２３、２４、３３、４３も通常サッシに用いるブリッジ材を用いることができる。これには例えば塩化ビニル樹脂（ＰＶＣ）を挙げることができる。
【００５５】
次に障子５０について説明する。障子５０は、図２、図３からわかるように、ガラスパネル５１、及び該ガラスパネルの４辺に具備される横框５２、５３、縦框５４、５５を備え、ガラスパネル５１の４辺の端部はグレージングチャンネル６０を介して横框５２、５３、縦框５４、５５に差し込まれるように取り付けられる。
【００５６】
ガラスパネル５１は、複層ガラスで構成され、断熱性が図られている。ただし、必ずしも複層ガラスである必要はなく、サッシに用いられるガラスパネルを用いることができる。
【００５７】
横框５２は上横框に相当する框材である。図２、図４からわかるように横框５２は、図２、図４に表される断面において、矩形状である矩形部５２ａを有している。矩形部５２ａの見付方向内側面の両端部からは見付方向内側に向けて延在する５２ｂ、５２ｃが設けられておりガラスパネル５１端部の受け入れ部を形成している。また、矩形部５２ａの室外側面から見付方向外側に向けて延在する片５２ｄが備えられている。
【００５８】
このように本発明の断熱サッシ１０では、備えられる障子５０の横框５２にはブリッジ材等の断熱部材が用いられていない。これにより断熱サッシの構造を簡略化し、備えられる部材を削減することができ、これにともなって製造も容易となる。横框５２の材質は特に限定されるものではないが、サッシを構成する部材として最も良く用いられるアルミニウムを用いることができる。本発明の断熱サッシは、このように通常に用いられる材料を適用した場合であっても断熱性を向上させることができる。
【００５９】
横框５３は下横框に相当する框材である。図２、図５からわかるように横框５３は、図２、図５に表される断面において、矩形状である矩形部５３ａを有している。矩形部５３ａの見付方向内側面の両端部からは見付方向内側に向けて延在する５３ｂ、５３ｃが設けられておりガラスパネル５１端部の受け入れ部を形成している。また、矩形部５３ａの室外側面から見付方向外側に向けて延在する片５３ｄが備えられている。
【００６０】
このように横框５３についても、横框５２と同様にブリッジ材等の断熱部材が用いられていない。これにより断熱サッシの構造を簡略化し、備えられる部材を削減することができ、これにともなって製造も容易となる。横框５３の材質は特に限定されるものではないが、サッシを構成する部材として最も良く用いられるアルミニウムを用いることができる。
【００６１】
縦框５４は２つの縦框のうちの１つを構成する框材である。図３、図６からわかるように縦框５４は、図３、図６に表される断面において、見込み方向（室内外方向）に延在する片５４ａを有している。該片５４ａの見込方向両端からは、見付方向内側向けて延在する５４ｂ、５４ｃが設けられており、ガラスパネル５１端部の受け入れ部を形成している。また、片５４ａの室外側端部から見付方向外側に向けて延在する片５４ｄが具備されている。
【００６２】
縦框５５は２つの縦框のうちの他方を構成する框材である。図３、図７からわかるように縦框５５は、図３、図７に表される断面において、見込方向（室内外方向）に延在する片５５ａを有している。該片５５ａの見込方向両端からは、見付方向内側向けて延在する５５ｂ、５５ｃが設けられており、ガラスパネル５１端部の受け入れ部を形成している。また、片５５ａの室外側端部から見付方向外側に向けて延在する片５５ｄが具備されている。
【００６３】
このように縦框５４、５５についても、ブリッジ材等の断熱部材が用いられていない。これにより断熱サッシの構造を簡略化し、備えられる部材を削減することができ、これにともなって製造も容易となる。縦框５４、５５の材質は特に限定されるものではないが、サッシを構成する部材として最も良く用いられるアルミニウムを用いることができる。
【００６４】
以上のように、縦横框にブリッジ材を用いることなく、一体に形成されているので、ブリッジ材を用いた開口部装置や框を樹脂とした開口部装置に比べ高い強度を得ることができる。
【００６５】
以上のような構成を有する断熱サッシ１０では、障子５０が閉鎖されたときに枠体１２と障子５０との各部位が次のように配置される。ここでは、図２、図４を参照しつつ説明する。これ以外の横枠２０、縦枠３０、４０、と横框５３、縦框５４、５５との関係についても以下に説明する趣旨が該当するので説明を省略する。
【００６６】
上記したように、横枠１３の室内側部材１４の片１４ｆの見付方向内側端部が、横框５２の見付方向内側端部より内側にまで延在する大きさに形成され、室内側において横框５２を隠蔽している。従って、片１４ｆは横框５２をカバーすることができる。これにより横框５２にブリッジ材を用いなくても断熱サッシに必要とされる断熱性能を得ることができる。本実施形態では備えられる全ての縦横框（５２、５３、５４、５５）が縦横枠（１３、２０、３０、４０）により上記のように隠蔽されているが、必ずしも全ての縦横框が縦横枠により隠蔽される必要はなく、少なくとも１つの縦又は横框が縦又は横枠により隠蔽されていればよい。
【００６７】
また、断熱材として作用するブリッジ材１６、パッキン１７、及びパッキン１８が見付方向に一直線に配置されているので断熱ラインが一直線状となり断熱性能を向上させることができる。ここで、ブリッジ材１６、パッキン１７、１８の見込み方向幅を同じとすればさらにその効果を大きなものとすることができる。また、パッキン１７、１８は横枠１３側に設けられ、その室外側端部が開放されるように取り付けられる態様なので、部材間に挟まれるように配置されるブリッジ材に比べて取り付けが容易である。
【００６８】
さらに、本実施形態では、２つのパッキン１７、１８が見付方向に並列されているので、図４にＧで示したような空気層Ｇを形成させることができる。これにより断熱効果をさらに向上させることが可能となる。このとき、本実施形態のようにパッキン１８を片１４ｆの見付方向内側端に配置することにより、横框５２の室内側面の大部分を上記空気層Ｇの内側に含めることができる。これにより、横框５２が室内側雰囲気に接触することをより一層防止することが可能となるので断熱性を向上させることができる。
【００６９】
以上、現時点においてもっとも実践的であり、かつ好ましいと思われる実施形態に関連して本発明を説明したが、本発明は本願明細書中に開示された実施形態に限定されるものではなく、請求の範囲及び明細書全体から読み取れる発明の要旨或いは思想に反しない範囲で適宜変更可能であり、そのような変更を伴う開口部装置もまた本発明の技術的範囲に包含されるものとして理解されなければならない。
【図面の簡単な説明】
【００７０】
【図１】１つの実施形態に係る開口部装置（断熱サッシ）の外観図である。
【図２】図１に示した開口部装置の断面図である。
【図３】図１に示した開口部装置の断面図である。
【図４】図２にＣで示した部分に注目した図である。
【図５】図２にＤで示した部分に注目した図である。
【図６】図３にＥで示した部分に注目した図である。
【図７】図３にＦで示した部分に注目した図である。
【符号の説明】
【００７１】
１０  断熱サッシ（開口部装置）
１１  開閉装置
１２  枠体
１３  横枠
１６  ブリッジ材
１７  パッキン
１８  パッキン
２０  横枠
２３  ブリッジ材
２４  ブリッジ材
２５  パッキン
２６  パッキン
３０  縦枠
３１  室内側部材
３２  室外側部材
３３  ブリッジ材
３４  パッキン
３５  パッキン
４０  縦枠
４１  室内側部材
４２  室外側部材
４３  ブリッジ材
４４  パッキン
４５  パッキン
５０  障子
５１  ガラスパネル
５２  横框
５３  横框
５４  縦框
５５  縦框
【図１】
2009280999.tif 000003
【図２】
2009280999.tif 000004
【図３】
2009280999.tif 000005
【図４】
2009280999.tif 000006
【図５】
2009280999.tif 000007
【図６】
2009280999.tif 000008
【図７】
2009280999.tif 000009